(57)【要約】リーンバーン往復動エンジンの排ガス処理方法であって、排ガスがリーンである時にＮＯｘを少なくとも一個のＮＯｘ収着体（３０Ａ、３０Ｂ）上に収着させること、該少なくとも一個のＮＯｘ収着体を、ＮＯｘをＮ２に転化するのに有効な薬剤と間欠的に接触させ、それによって該少なくとも一個のＮＯｘ収着体を再生すること、および該間欠的接触工程の流出物をエンジン入口（１４）に供給することを含んでなる、方法。
2006527814.tif 000002
【特許請求の範囲】
【請求項１】
リーンバーン往復動エンジンのＮＯｘ含有排ガスを処理する方法であって、
前記排ガスがリーンである時に、少なくとも一個のＮＯｘ収着体（３０）上で前記ＮＯｘを収着し、
前記少なくとも一個のＮＯｘ収着体を、ＮＯｘをＮ２に転化するのに有効な薬剤と間欠的に接触させ、それによって前記少なくとも一個のＮＯｘ収着体を再生し、および
前記間欠的接触工程における流出物をエンジン入口（１４）に供給することを含んでなる、方法。
【請求項２】
前記リーン排ガスを、平行に配置された少なくとも２個のＮＯｘ収着体（３０Ａ、３０Ｂ）と同時に接触させ、および
前記ＮＯｘ収着体の全部よりも少ないＮＯｘ収着体を前記薬剤と間欠的に同時に接触させることを含んでなる、請求項１に記載の方法。
【請求項３】
再生されてなる前記または各ＮＯｘ収着体中のガス流が、再生されていない前記または各ＮＯｘ収着体中よりも少ないものであり、および
再生されてなる前記または各ＮＯｘ収着体の流出物の実質的に全部が前記エンジン入口に供給されてなる、請求項２に記載の方法。
【請求項４】
前記薬剤が非選択的還元体、例えば炭化水素（ＨＣ）、ＣＯまたは水素である、請求項１〜３のいずれか一項に記載の方法。
【請求項５】
前記薬剤がエンジン燃料である、請求項４に記載の方法。
【請求項６】
前記薬剤が水素化窒素である、請求項１〜３のいずれか一項に記載の方法。
【請求項７】
前記または各ＮＯｘ収着体の上流において、ＨＣおよびＣＯから蒸気（Ｈ２Ｏ（ｇ））、ＣＯ２および／またはＮＯからＮＯ２、への触媒酸化（２２）を含んでなる、請求項１〜６のいずれか一項に記載の方法。
【請求項８】
ＮＯ酸化とＮＯｘ収着との間の粒子状物質（ＰＭ）収集（２４）を含んでなる、請求項７に記載の方法。
【請求項９】
ＮＯｘ含有排ガスを放出するリーンバーン往復動エンジンであって、
前記排ガスがリーンである時に、ＮＯｘを収着する少なくとも一個のＮＯｘ収着体（３０）と、
前記少なくとも一個のＮＯｘ収着体を、ＮＯｘをＮ２に転化するのに有効な薬剤と間欠的に接触させ、それによって前記少なくとも一個のＮＯｘ収着体を再生する手段（３２）と、および
前記接触による流出物をエンジン入口（１４）に供給する手段とを備えてなる処理機構（１９）を有する、エンジン。
【請求項１０】
通常または臨時モードの運転で使用する排ガス再循環（ＥＧＲ）手段（２８、３４、１６）を備えてなり、前記ＥＧＲ手段が所望によりポンプを備えてなる、請求項９に記載のエンジン。
【請求項１１】
平行に配置された少なくとも２個のＮＯｘ収着体（３０Ａ、３０Ｂ）と、および
前記少なくとも２個のＮＯｘ収着体の全部よりも少ないＮＯｘ収着体を前記薬剤と選択的に接触させる手段とを備えてなる、請求項９または１０に記載のエンジン。
【請求項１２】
前記少なくとも１個のＮＯｘ収着体の再生の際に、前記少なくとも１個のＮＯｘ収着体のガス流を、再生されていない前記少なくとも１個の他のＮＯｘ収着体に対して低減させる手段と、および
再生されてなる前記または各ＮＯｘ収着体の流出物の実質的に全部をエンジン入口（１４）に供給する手段とを備えてなる、請求項１１に記載のエンジン。
【請求項１３】
前記または各ＮＯｘ収着体（３０）が、再生の際に、前記または各ＮＯｘ収着体（３０Ａ、３０Ｂ）の入口で前記薬剤をガスに導入する注入手段（３２Ａ、３２Ｂ）と接続してなる、請求項９〜１２のいずれか一項に記載のエンジン。
【請求項１４】
薬剤の供給部を備えてなる、請求項９〜１３のいずれか一項に記載のエンジン。
【請求項１５】
前記薬剤が非選択的還元体、例えば炭化水素（ＨＣ）、ＣＯまたは水素である、請求項１４に記載のエンジン。
【請求項１６】
前記薬剤がエンジン燃料である、請求項１５に記載のエンジン。
【請求項１７】
前記または各ＮＯｘ収着体注入装置（３０Ａ、３０Ｂ）への分岐を備えたコモンレール燃料注入（１２）装置を備えてなる、請求項１３に記載のエンジン。
【請求項１８】
前記薬剤が水素化窒素である、請求項１４に記載のエンジン。
【請求項１９】
使用中に、少なくとも一個のＮＯｘ収着体（３０）を間欠的に再生することと、かつ、前記または各ＮＯｘ収着体再生の流出物をエンジン入口（１４）へ供給することとを制御し、それによってＮＯｘ収着体再生の流出物をエンジン入口に供給する手段を有しない類似のエンジンと比較して、大気中に放出される再生薬剤の量を低減させる手段を備えてなる、請求項９〜１８のいずれか一項に記載のエンジン。
【請求項２０】
前記機構が、前記または各ＮＯｘ収着体（３０）の上流に配置された、ＨＣおよびＣＯから蒸気およびＣＯ２および／またはＮＯからＮＯ２、への酸化に触媒作用をする酸化触媒（２２）を備えてなる、請求項９〜１９のいずれか一項に記載のエンジン。
【請求項２１】
前記機構が、ＮＯ酸化触媒（２０）と、前記または各ＮＯｘ収着体（３０）の間に配置された粒子状物質（ＰＭ）フィルター（２４）を備えてなる、請求項２０に記載のエンジン。
【発明の詳細な説明】
【発明の分野】
【０００１】
本発明は、エンジン排ガス中のＮＯｘ処理に関し、より詳しくは、リーンバーン往復動エンジンの排気におけるＮＯｘ収着体(sorber)再生ガスの処理に関する。
【背景技術】
【０００２】
そのようなＮＯｘを塩基性酸化物系材料中に収着させることにより除去し、次いでその材料を再生し、同時に還元体またはＮＯｘ特異性反応物である薬剤により、ＮＯｘをＮ２に転化する方法が提案されている。この方法には、現在過剰に使用され、従って、１００％反応している訳ではない、そのような薬剤が大気中に放出されるのをどのように制限または回避するか、という問題がある。
【０００３】
下記の説明および請求項で、「収着(sorb)」の語に基づく用語は、「吸収」あるいは「吸着」またはそのような過程の両方が起こることを意味し、ＮＯｘ収着に有効な金属を「酸化物」と呼ぶが、この用語は、ＮＯｘ収着体として有効であり、排ガス処理条件中に存在する他の酸化物系化合物、例えば水酸化物および炭酸塩、を包含するものとする。
【０００４】
ヨーロッパ特許第ＥＰ−Ｂ−０３４１８３２号明細書（ここに参考として含める）は、ディーゼル排ガス中の粒子状物質を燃焼させる方法であって、排ガス中の一酸化窒素を触媒上で二酸化窒素に酸化し、排ガスから粒子状物質を濾過し、濾過した粒子状物質を二酸化窒素中、４００℃までで燃焼させることを含んでなる方法を記載している。そのような機構は、Johnson MattheyからＣＲＴ（商品名）として市販されている。
【０００５】
ＮＯｘ収着体再生に関連する問題は、その再生により、還元体として未燃焼炭化水素（ＨＣ）およびＮＯｘを含む濃縮された排ガスのパルスが発生することである。未反応ＨＣおよびＮＯｘがテールパイプから放出され、煙の噴出として眼に見えることが多い。典型的なＮＯｘ収着体再生戦略は、数分ごとに１秒間位再生することを含んでなるので、そのような放出物は、粒子状物質、ＨＣおよびＮＯｘに関する将来の放出物規準に適合しない可能性がある。
【０００６】
我々は、この先行技術の問題を軽減する、そのような収着体再生ガスを処理するための技術を開発した。
【０００７】
第一の態様により、本発明は、リーンバーン往復動エンジンのＮＯｘ含有排ガスを処理する方法であって、該排ガスがリーンである時に該ＮＯｘを少なくとも一個のＮＯｘ収着体上に収着させること、該少なくとも一個のＮＯｘ収着体を、ＮＯｘをＮ２に転化するのに有効な薬剤と間欠的に接触させ、それによって該少なくとも一個のＮＯｘ収着体を再生すること、および該間欠的接触工程の流出物をエンジン入口に供給することを含んでなる、方法を提供する。
【０００８】
第二の態様により、ＮＯｘ含有排ガスを放出するリーンバーン往復動エンジンであって、該排ガスがリーンである時にＮＯｘを収着する少なくとも一個のＮＯｘ収着体、該少なくとも一個のＮＯｘ収着体を、ＮＯｘをＮ２に転化するのに有効な薬剤と間欠的に接触させ、それによって該少なくとも一個のＮＯｘ収着体を再生する手段、および該接触の流出物をエンジン入口に供給する手段を備えてなる処理機構を有する、エンジンを提供する。
【０００９】
エンジンは、好ましくは通常または臨時モードの運転における排ガス再循環（ＥＧＲ）を備えたエンジンである。あるいは、ＥＧＲ装置を、通常はＥＧＲを使用しないエンジンに付け加えることができる。
【００１０】
流出物をエンジン入口に供給することは、その中に含まれる薬剤を単に処分するだけなので、その流量は、原則的に、従来型ＥＧＲのエンジン内燃焼条件に関係しない。過剰のＥＧＲを使用せずに流出物を完全に再循環させるために、この機構は、平行に配置された少なくとも２個のＮＯｘ収着体、およびそれらの全部よりも少ない数を薬剤と選択的に接触させる手段を包含するのが好ましい。再生中のＮＯｘ収着体中のガス流量は、残りのＮＯｘ収着体中よりも低く、特に既存のＥＧＲ装置中の再循環速度よりも低くなるように制限するのが好ましい。そのような機構は、再循環される流出物の流量を決定するＥＧＲポンプを包含するのが好ましい。
【００１１】
薬剤は、それと接触させるべきＮＯｘ収着体に大部分が入るように、ガス中に注入するのが好都合である。還元体は、マルチシリンダーエンジンでは、全シリンダーより少ない数、好ましくは１個のシリンダーを、リッチまたはほぼ中立の空燃比、すなわちラムダ＝１、で間欠的に操作し、得られた排気を再生すべきＮＯｘ収着体に供給することにより、与えることができる。
【００１２】
薬剤は、非選択的な還元体、例えば炭化水素、ＣＯまたは水素、でよく、それ自体で注入することも、または化合物、例えばエンジン燃料、として注入し、ＮＯｘ収着体上の再生条件で、または注入前の工程で還元体に転化することもできる。コモンレール燃料注入機構を有するエンジンでは、ＮＯｘ収着体注入装置への分岐があるとよい。シリンダーのリッチ／中立作動により供給する場合、明らかに、非選択的な還元体を使用する。
【００１３】
あるいは、薬剤は、ＮＯｘ特異的反応物、例えば水素化窒素、例えばアンモニアまたはヒドラジン、でよく、前駆物質、例えばアミド、尿素またはカルバミン酸アンモニウム、として、場合により遊離水素化物を発生するのに有効な触媒を経由して都合良く供給することができる。
【００１４】
ＮＯｘ除去工程に加えて、エンジン排気機構は、ＮＯｘ収着体の上流に、ＨＣおよびＣＯから蒸気およびＣＯ２への、および／またはＮＯからＮＯ２への触媒酸化、および好ましくは該触媒酸化の下流にＰＭ収集、および／またはＮＯｘ収着体の下流に、残留ＨＣおよびＣＯの触媒酸化、ＮＯｘ収着体を通過する（粒子径が小さ過ぎるために、またはフィルター流れ反転による放出のために）、または上流フィルターを通過するＰＭの収集を包含することができる。
【００１５】
本機構がＰＭ収集を包含する場合、エンジンは、ＮＯからＮＯ２への酸化の後、該ＰＭの全炭素画分を燃焼させるのに十分なＮＯｘを含む未処理排ガスを放出するように、設計および校正することができる。あるいは、ＮＯからＮＯ２への酸化の後、該燃焼を完了するには少な過ぎるＮＯｘを含む未処理排ガスを、少なくとも一時的に、放出するように、エンジンを設計および校正することができる。ＰＭ収集手段は、該燃焼を促進するのに有効な触媒、および場合により酸素貯蔵材料も含んでなるのが好ましい。各燃焼工程で、温度は、ＰＭが設計レベルに蓄積した時、連続的または間欠的に、ＮＯ２に対して、またはさらに、酸素に対して、「バランス温度」にあるか、またはそれを超える温度にある。ＰＭ収集がフィルターを使用する場合、その中を通る流れ方向を間欠的に反転させる手段を備えることができる。エンジン制御装置が、通常走行では入口空燃比を強度のリーン（例えばａ／ｆ＝３０）で運転させるが、ＰＭを酸素で酸化するように温度を増加する場合は中程度のリーン（例えばａ／ｆ＝１６）にすることができる。
【００１６】
ＮＯｘ収着体は、典型的には
（ａ）収着条件では十分な安定性を有するニトロキシ塩を形成することができ、再生条件では酸化窒素を放出する／反応させることができる、アルカリ−、アルカリ土類−、希土類−および遷移−金属の酸化物、
（ｂ）吸着性材料、例えばゼオライト、炭素および高表面積酸化物
から選択される。どの化合物を使用するにしても、ＮＯｘと還元体またはＮＯｘ特異性反応物の反応を促進するのに効果的な、一種以上の触媒材料、例えば貴金属、特にＰｔ＋Ｒｈ、が存在するのが好ましい。
【００１７】
収着体および触媒は、セラミック、巻き上げた波形金属、または金属フォームまたは焼結物または規則的に、または不規則に充填したワイヤまたは平らなワイヤから構成されたフロースルーモノリシック基材上にあるのが好適である。フィルターは、使用する場合、収着体および触媒の基材に類似した、ただしガスに対して透過性であるが、ＰＭに対しては透過性が限られている「フィルター等級」の基材を使用することができる。
【００１８】
ガス流を使用中および再生時にＮＯｘ収着体フィルターから連続的に切り換える、および／またはＰＭフィルター中の流れ方向を反転させるために、機構は４方バルブを包含するのが好適である。そのようなバルブは、典型的には、外側円筒形または円錐台形ケーシング（それぞれ外側の流れ接続部につながる、角度的に間隔を置いて配置された開口部が形成されている）、および２つの進入流のどちらかを単一の出口に向けるか、あるいは単一の進入流を２つの出口の一方に向けるか、または２つの進入流を単一の流れに組み合わせるのに有効なデフレクタ手段を備えてなる。
【００１９】
バルブ手段は、シールを通して操作するアクチュエータ手段も備えてなる。デフレクタは、好ましくは、選択されたガス流が必要とされる２つの極限位置間の円弧状経路で操作することができる。デフレクタは、「バタフライ」でよい。バルブケーシングには、バタフライの意図する横行に対応する大きな直径を有する壁区域があり、その壁区域は、横行の極限で、直径がより小さくなるように変化し、バタフライの輪郭に適合した、ガス漏れに対するシールとして有効な段差を形成している。バタフライの横行は、典型的にはケーシングの周囲の１０〜２０％である。中間の非選択的なガス流が必要である場合、これは、アクチュエータ手段により与えることができる。
【００２０】
デフレクタ手段は、ケーシング内に、流体を通さずに、流体流の主方向を横切る軸を中心にして回転できるように、胴とすり合わせに形成し、胴の２個以上の放射状平面のそれぞれに沿って少なくとも一個の、流体を通さない分割部材を形成し、それぞれの区画内に胴の周囲に沿って互いにある角度を有する位置で開いた少なくとも一つの通路を形成し、該位置は開口部に対応する。
【００２１】
胴（使用する場合）は、シート材料を一つに合わせ、その外側形状および内側通路を限定するか、または固体材料を成形し、その中に穿孔することにより通路を形成し、孔同士の間の残りの部分が分割部材を構成するように形成することができる。各通路は、通常、その入口に対してある角度、例えば４方バルブでは直角、を有する出口を有し、一つの入口接続部および２または３個の出口接続部を有する。２個の入口接続部および２個の出口接続部を有する４方バルブでは、各通路は１個の入口および２個の出口を有することができる。
【００２２】
本発明を添付の図面により例示する。
【００２３】
図１に関して、ディーゼルエンジン１０で、入口機構は、燃料供給部１２、空気供給部１４および排ガス再循環（ＥＧＲ）供給部１６を備えてなり、排ガスはマニホルド１８から外に出て、ウォッシュコートおよびＰｔを担持するセラミックハニカムからなる酸化触媒２２と、それに続くＰＭフィルター２４を含む反応器２０を備えてなる排ガス後処理装置１９に送られる。フィルター２４は、フィルター等級セラミックハニカムからなり、その通路は、入口末端で開いた通路と閉じた通路が交互に配置され、入口の開いた通路に対応して、出口末端では交互に閉じている。このフィルターは、煤を酸化する触媒、例えばＰｔまたはＬａ／Ｃｓ／Ｖ２Ｏ５、を担持している。反応器２０の下流末端には、それぞれＮＯｘ収着体３０Ａおよび３０Ｂに向かう出口２６があり、各ＮＯｘ収着体は、金属Ｐｔ＋Ｒｈおよび酸化バリウムを含むアルミナウォッシュコートを担持するセラミックハニカムユニットを保持している。収着体３０Ａ、Ｂは、図に示す様に個別の缶の中に収容するか、または空間を節約するために、単一缶の流体を通さない分割室中に入れることができる。各収着体３０Ａ、Ｂは、エンジン（接続部は図に示していない）のコモンレール機構から来る炭化水素、またはアンモニアまたはその前駆物質の注入装置３２Ａ、Ｂを備えている。
【００２４】
収着体３０Ａ、Ｂの各出口末端は、４方バルブ２８の２つの入口の一方に接続されており、バルブの、ＥＧＲ入口１６に向かう（図には示していないが、ポンプを経由して）出口３４および大気中につながる出口３６は、矢印で示す出口の一方または他方と整列している。バルブ２８は、３つの位置２８Ｘ、２８Ｙおよび２８Ｚ（ＹおよびＺ流入）の間で操作できる。
【００２５】
［注意：バルブの２つの分割部を「ＬＨＳ」、すなわち左側および「ＲＨＳ」、すなわち右側と呼ぶが、これは、図面を理解し易くするためであり、実用的な構造を示すものではない］
【００２６】
Ｘ位置では、両方の収着体および両方の出口が開いており、従って、閉塞した中間点は存在しない。
【００２７】
Ｙ位置では、収着体３０Ａを離れるガスがＥＧＲポンプの入口速度で３４にのみ流れる。同時に、収着体３０Ｂから出るガスは３６を経由して外に出る。
【００２８】
Ｚ位置では、操作は類似しており、３０Ｂの流出物をＥＧＲに供給し、３０Ａの流出物を３６を経由して外に出す。
【００２９】
エンジンの正常運転では、蒸気（Ｈ２Ｏ（ｇ））、二窒素（Ｎ２）、酸素（Ｏ２）、二酸化炭素（ＣＯ２）、未燃焼炭化水素燃料（ＨＣ）、一酸化炭素（ＣＯ）、酸化窒素（ＮＯｘ）および粒子状物質（ＰＭ）を含んでなる排ガスが、例えば３００℃で、触媒２２と接触し、その上でＮＯがＮＯ２に酸化され、ＨＣおよびＣＯの一部が蒸気およびＣＯ２に酸化される。次いで、排ガスは、フィルター２４に入り、その上でＰＭの大部分が集められ、触媒２４中で形成されたＮＯ２および場合によりＯ２との反応により燃焼する。次いで、ＰＭを除去したガスは、３通りの様式、すなわち２８Ｘでは、収着体３０Ａおよび３０Ｂがそれぞれ、ガス流全体のほぼ半分からＮＯｘを収着し、収着体出口ガスは主として大気中または３６におけるさらなる処理に、部分的に３４でＥＧＲに、ＥＧＲポンプ（図には示していない）の流量で流れ、２８Ｙでは、収着体３０Ａが、ガス流全体の、ＥＧＲポンプ速度に対応する画分、および３２Ａで注入されたＨＣおよびアンモニアを受け取る。収着体３０Ａは再生され、その流出物は３４でＥＧＲに供給され、収着体３０Ｂは、ガス流全体の大画分からＮＯｘを収着し、その流出物は大気中または３６におけるさらなる処理に送られ、２８Ｚでは、収着体３０Ｂおよび３０Ａが、２８Ｙで行った作業を交替する。エンジン管理装置（図には示していない）が、まだ再生すべき状態にない収着体がＮＯｘでかなり充填されているが、再生期間中にガス全体の大画分を処理するのに十分なＮＯｘ収着容量を残している時に、２８Ｘから２８Ｙに、またはその逆に、切り換える。
【００３０】
図２に関して、部品１０〜１９は、図１に示す部品と同じであり、図式的に示してある。ここでは、反応器２０が触媒２２だけを含む。ＰＭフィルターは、ここでは２５で示し、別の容器２１の中にある。このフィルターは、フィルターを通る流れの方向を反転させる点で異なっている。反応器２０の出口は、単一入口反転バルブ２３によりフィルター容器２１に接続されており、このバルブは、位置２３Ａおよび２３Ｂ（流入）で操作し、フィルター２５を通るＲＨからＬＨへ、またはＬＨからＲＨへの流れをそれぞれ与える。ガスは、どちらかの方向でフィルター２５を離れ、バルブ２３Ａまたは２３Ｂを通り、分岐点を経て、出口２７から、それぞれＮＯｘ収着体３０Ａまたは３０Ｂへ、さらに下流の４方バルブ２８に向かう。バルブ２８の操作は、大気への出口３６が、フィルター４０を保持する容器３８への接続部３７で置き換えられている以外は、図１におけるのと同じであり、フィルター４０の役目は、フィルター２５から放出されたＰＭを集めることである。そのようなＰＭは、典型的には灰分であり、その場合、フィルター４０は使い捨ての、例えば繊維または紙フィルターでよい。フィルター４０のの役目は、フィルター２５により集められなかった超微粒の可燃性ＰＭを集めることである。
【００３１】
最新型ディーゼルエンジンの特徴は、エンジンから出るＮＯｘおよび／または排ガスの温度が、ヨーロッパ特許第ＥＰ−Ｂ−０３４１８３２号明細書に記載されているようにＮＯの酸化により触媒作用で発生したＮＯ２を使用する受動的フィルター再生には低過ぎる場合があることである。この問題に対する解決策の一つは、排気機構中の温度を増加することによりＰＭをフィルター上で燃焼させ、フィルターを横切る背圧を妥当な設計公差内に維持し、能動的にフィルターを再生することである。そのような能動的再生技術は、例えばヨーロッパ特許第０７５８７１３号明細書（ここに参考として含める）に記載されている。
【００３２】
図２に開示する機構の、ＣＲＴ（商品名）プロセスの実際的用途に対する優位性は、フィルター中の流れ反転を使用し、走行サイクル全体にわたってＮＯ２中で容易に燃焼されないＰＭを除去できることにある。未燃焼ＰＭは、第二の使い捨てフィルター上に集め、適当な間隔で除去することができる。従って、この配置は、特に後付け製品市場において、高価で、燃費のかかる能動的再生装置を取り付ける代わりに、実用的で経済的な解決策を提供する。
【００３３】
図３Ａ、３Ｂおよび３Ｃおよび図４Ａおよび４Ｂに関して、各外部接続は、図１および２におけるように番号付けしている。これらの図面に示す平面図は、実質的に円筒形のバルブケーシング５０に関し、そのケーシングは、内部に直径が大きい周辺部区域５２が形成され、回転シャフト５６を有する長方形バタフライデフレクタ５４の横行範囲を限定しており、その回転シャフトは、バルブケーシングの外に、シールを経由してアクチュエータ（図には示していない）に伸びている。横行範囲の極限は、直径が異なる区域間の段差５８により限定され、そのような段差は、その意図する迂路からのガス漏れを制限する。
【図面の簡単な説明】
【００３４】
【図１】図１は、２個のＮＯｘ収着体間で流れを切り換えるのにバルブを使用する排ガス処理装置を示すフローシートである。
【図２】図２は、ＰＭフィルターを通る流れを反転させるのにやはり変形バルブを使用する排ガス処理装置を示すフローシートである。
【図３】図３Ａ、３Ｂおよび３Ｃは、図１および２で使用するバルブの拡大平面図である。
【図４】図４Ａおよび４Ｂは、図１および２で使用するバルブの拡大平面図である。
【図１】
2006527814.tif 000003
【図２】
2006527814.tif 000004
2006527814.tif 000005
2006527814.tif 000006
【国際調査報告】
2006527814.tif 000007
2006527814.tif 000008
2006527814.tif 000009